(57)【要約】【課題】  締結ボルトによる締付力が所定の締結力に達したとき、これを表示器の点灯により知らせることのできるパンチ保持装置を得ること。【解決手段】  パンチ嵌入孔３を有するパンチホルダー２の前部側パンチ受部５にパンチ押え６を着脱自由に嵌合させ、中央のパンチ７を境に両側から締結ボルト８，８によりパンチ押え６をパンチ受部５に締付け固定してなるパンチ保持装置において、締結ボルト８の頭部とパンチ押え６との間に締結力により高さが変化する皿ばね９を介装する一方、この皿ばね９の高さを読み取るスイッチ１１を設け、かつ、上記皿ばね９が所定高さになったときスイッチ１１から出力される検出信号により点灯して所定の締結力に達したことを表示する表示器１２を設けた。【選択図】    図１
0003119444.tif 000002
【実用新案登録請求の範囲】
【請求項１】
パンチ嵌入孔を有するパンチホルダーの前部におけるパンチ取付部を、パンチホルダー側と一体のパンチ受部と、これとは別体のパンチ押えとに分割して、パンチ受部にパンチ押えを着脱自由に嵌合させ、中央のパンチを境に両側から締結ボルトによりパンチ押えをパンチ受部に締付け固定してなるパンチ保持装置において、締結ボルトの頭部とパンチ押えとの間に締結力により高さが変化する皿ばねを介装する一方、この皿ばねの高さを読み取るスイッチを設け、かつ、上記皿ばねが所定高さになったときスイッチから出力される検出信号により点灯して所定の締結力に達したことを表示する表示器を備えていることを特徴とするパンチ保持装置。
【請求項２】
パンチホルダーの長さ方向中間部にパンチ押えの嵌合溝を設けると共に、パンチホルダーのパンチ嵌入孔をパンチの外径より若干大きく形成し、かつ、パンチ嵌入孔の先端部に弾性リングを介してパンチを微動可能に保持する一方、パンチのパンチ押えとの対向位置に係合溝を設けると共に、パンチ押えに係合溝に嵌入するストッパー部を設けて、締結ボルトの締付けによりストッパー部を係合溝に押し付けてパンチをパンチホルダーに締結し、かつ、ストッパー部と係合溝との間にパンチの長さ方向への位置調整が可能な隙間を設けていることを特徴とするパンチ保持装置。
【考案の詳細な説明】
【技術分野】
【０００１】  本考案は、パンチとダイで所定形状の圧造加工を行う圧造機械のパンチ保持装置に関する。
【背景技術】
【０００２】  従来、例えば、締結ボルトによる簡単な締結操作によってパンチの着脱が迅速容易に行えるパンチ保持装置として、パンチパンチ嵌入孔を有するパンチホルダーの前部におけるパンチ取付部を、パンチホルダー側と一体のパンチ受部と、これとは別体のパンチ押えとに分割して、パンチ受部にパンチ押えを着脱自由に嵌合させ、中央のパンチを境に両側から締結ボルトによりパンチ押えをパンチ受部に締付け固定するように構成したものが知られている（例えば、特許文献１参照。）。
【特許文献１】  実公昭５６−１０４２４号  公報
【考案の開示】
【考案が解決しようとする課題】
【０００３】  ところが、上記したような締結ボルトとを備えたパンチ保持装置にあっては、締結ボルトの締付時に締結ボルトによる締結力が所定の締結力に達したか否かを判断するのが非常に困難であり、また、締付後に締結ボルトの緩み発生などによるより締結力の低下についても目視などにより容易に判断することは困難であった。特に、パンチの外径より若干大きくしたパンチ保持ケースのパンチ挿入孔に、弾性リングを介してパンチを微動可能に保持して、パンチで圧造素材をダイ内に圧入するとき、素材のいがみや芯合わせ多少狂ったりしてパンチ側に多少偏位した衝撃が加わっても、パンチが折れたりダイが破損することがないように構成する場合、締めすぎてロックすることがないよう締結ボルトによる締結力の設定を特に高精度に行う必要があった。【０００４】  そこで、本考案は、このような従来の構成が有していた問題を解決しようとするものであり、締結ボルトによる締付力が所定の締結力に達したとき、これを表示器の点灯により知らせることのできるパンチ保持装置の提供を課題とする。
【課題を解決するための手段】
【０００５】  上記した問題を解決するために、本願の請求項１に記載の考案は、パンチ嵌入孔を有するパンチホルダーの前部におけるパンチ取付部を、パンチホルダー側と一体のパンチ受部と、これとは別体のパンチ押えとに分割して、パンチ受部にパンチ押えを着脱自由に嵌合させ、中央のパンチを境に両側から締結ボルトによりパンチ押えをパンチ受部に締付け固定してなるパンチ保持装置において、締結ボルトの頭部とパンチ押えとの間に締結力により高さが変化する皿ばねを介装する一方、この皿ばねの高さを読み取るスイッチを設け、かつ、上記皿ばねが所定高さになったときスイッチから出力される検出信号により点灯して所定の締結力に達したことを表示する表示器を備えていることを特徴とする。【０００６】  また、本願の請求項２に記載の考案は、上記した請求項１に記載の構成に加えて、パンチホルダーの長さ方向中間部にパンチ押えの嵌合溝を設けると共に、パンチホルダーのパンチ嵌入孔をパンチの外径より若干大きく形成し、かつ、パンチ嵌入孔の先端部に弾性リングを介してパンチを微動可能に保持する一方、パンチのパンチ押えとの対向位置に係合溝を設けると共に、パンチ押えに係合溝に嵌入するストッパー部を設けて、締結ボルトの締付けによりストッパー部を係合溝に押し付けてパンチをパンチホルダーに締結し、かつ、ストッパー部と係合溝との間にパンチの長さ方向への位置調整が可能な隙間を設けていることを特徴とする。
【考案の効果】
【０００７】  本考案によれば、締結ボルトの頭部とパンチ押えとの間に締結力により高さが変化する皿ばねを介装すると共に、この皿ばねの高さを読み取るスイッチを設け、かつ、上記皿ばねが所定高さになったときスイッチから出力される検出信号により点灯して所定の締結力に達したことを表示する表示器を備えているから、締結ボルトによる締結時、皿ばねの高さをスイッチが読取り、皿ばねが所定高さになって締結ボルトによる締付力が所定の締結力に達したとき、スイッチから出力される検出信号により表示器を点灯してこれを作業者に知らせることができる。これによりパンチホルダーにパンチを所定の締結力で確実に保持することができると共に、目視により締結ボルトによるパンチの締結具合を簡単容易に点検確認することができる。【０００８】  また、パンチホルダーの長さ方向中間部にパンチ押えの係合溝を設けると共に、パンチホルダーのパンチ嵌入孔をパンチの外径より若干大きく形成し、かつ、パンチ嵌入孔の先端部に弾性リングを介してパンチを微動可能に保持する一方、パンチの上記パンチ押えとの対向位置に係合溝を設けると共に、パンチ押えに係合溝に嵌入するストッパー部を設けて、締結ボルトの締付けによりストッパー部を係合溝に押し付けてパンチをパンチホルダーに締結し、かつ、ストッパー部と係合溝との間にパンチの長さ方向への位置調整が可能な隙間を設けるようにすれば、表示器の点灯に基づく締結ボルトによる所定の締結力をより正確に設定することができ、その結果、極端に締め付け過ぎるといったことがなく、弾性リングにより保持されているパンチを、圧造時ダイ側の偏位に対応させて微動させることが可能となり、パンチの折損やダイ側の破損を効果的に防ぐことができ、その上、ストッパーと係合溝との間にパンチの長さ方向への位置調整が可能な隙間を設けられているので、パンチのパンチ保持ケースからの突出長さも適宜調整することができる。
【考案を実施するための最良の形態】
【０００９】  以下、本考案の実施の形態を図に基づいて説明する。
図１、２は、圧造機械に適用されるパンチ保持装置１を示すもので、該パンチ保持装置１は、基本的にはパンチ嵌入孔３を有するパンチホルダー２の前部におけるパンチ取付部４を、パンチホルダー側と一体のパンチ受部５と、これとは別体のパンチ押え６とに分割して、パンチ受部５にパンチ押え６を着脱自由に嵌合させ、中央のパンチ７を境に両側から締結ボルト８，８によりパンチ押え５をパンチ受部５に締付け固定した構成となっている。【００１０】  そして、締結ボルト８，８の頭部とパンチ押え６との間に締結力により高さが変化する皿ばね９，９を介装する一方、パンチ押え６の中間部に凹所１０を形成し、この凹所１０内に皿ばね９，９の高さを読み取るスイッチ１１，１１を設け、かつ、上記皿ばね９が所定高さになったときスイッチ１１から出力される検出信号により点灯して所定の締結力に達したことを表示する発光ダイオードなどの表示器１２を備えている。図中、符号１３はスイッチ１１及び表示器１２に接続する電池である。なお、表示器１２は１個の表示器１２で発光する色の変化で二つの締結ボルトによる締結力が所定の締結力に達したことを確認できるようにしてもよいし、また、各締結ボルト８，８に対応する表示器１２，１２を個々に設けてもよい。【００１１】  また、図に示す実施の形態では、図２に示すように、パンチホルダー２の長さ方向中間部にパンチ押え６の嵌合溝１４を設けると共に、パンチホルダー２のパンチ嵌入孔３をパンチ７の外径より若干大きく形成し、かつ、パンチ嵌入孔３の先端部に弾性リング１５を介してパンチ７を微動可能に保持する一方、パンチ７の上記パンチ押え６との対向位置に係合溝１６を設けると共に、パンチ押え６に係合溝１６に嵌入するストッパー部１７を設けて、締結ボルト８，８の締付けによりストッパー部１７を係合溝１６に押し付けてパンチ７をパンチホルダー２に締結し、かつ、ストッパー部１７と係合溝１６との間にパンチ７の長さ方向への位置調整が可能な隙間Ｓを設けた構成となっている。【００１２】  また、図２中、符号１８はローラーガイド１９，１９付きのダイであり、２０はラム（図示せず）の前面に装備されるパンチケースであり、２１はパンチホルダー２内に挿通保持したパンチ７の押出し調整棒である。【００１３】  以上の構成により、締結ボルト８による締結時、皿ばね９の高さをスイッチ１１が読取り、皿ばね１１が所定高さになって締結ボルト８による締付力が所定の締結力に達したとき、スイッチ１１から出力される検出信号により表示器１２を点灯してこれを作業者に知らせることができる。これによりパンチホルダー２にパンチ７を所定の締結力で確実に保持することができると共に、目視により締結ボルト８によるパンチ７の締結具合を簡単容易に点検確認することができる。【００１４】  また、表示器１２の点灯により締結ボルト８，８による所定の締結力を正確に設定することができる結果、パンチ７を極端に締め付け過ぎるといったことがなく、その結果、特に弾性リング１５により保持されているパンチ７を、圧造時ダイ１８側の偏位に対応させて微動させることが可能となり、パンチ７の折損やダイ１８側の破損を効果的に防ぐことができる。その上、ストッパー部１７と係合��１６との間にパンチ７の長さ方向への位置調整が可能な隙間Ｓを設けているので、押出し調整棒２１によるパンチ７のパンチホルダー２からの突出長さも適宜調整することができる。【００１５】  以上説明した実施の形態では、ストッパー部１７と係合溝１６を設けたものについて説明したけれども、ストッパー部１７と係合溝１６を設けない基本構造のものであったもよいことは勿論である。【００１６】  また、図３に示す実施の形態では、スイッチ１１をパンチ受部５のネジ孔２２の奥部に突入させて設ける一方、締結ボルト８の中心部にスイッチ当接用の調整ボルト２３を進退可能に螺合したもので、調整ボルト２３の締結ボルト８に対する進退調整により所定の締結力が得られたときに表示器１２が点灯するタイミングを微調整できるように構成したものである。【００１７】  さらに、図４に示す実施の形態では、スイッチ１１をパンチ受部５のネジ孔２２の奥部に設ける一方、スイッチ１１に調整ボルト２４を進退可能に螺合したもので、調整ボルト２４のスイッチ１１に対する進退調整により所定の締結力が得られたときに表示器１２が点灯するタイミングを微調整できるように構成したものである。なお、図４中、符号２５はスイッチ部分覆うカバー体である。
【図面の簡単な説明】
【００１８】
【図１】    本考案に係るパンチ保持装置の正面図である。
【図２】    同縦断側面図である。
【図３】    別の実施の形態を示す説明図である。
【図４】    さらに別の実施の形態を示す説明図である。
【符号の説明】
【００１９】  １        パンチ保持装置
２        パンチホルダー
３        パンチ嵌合孔
５        パンチ受部
６        パンチ押え
７        パンチ
８        締結ボルト
９        皿バネ
１１      スイッチ
１５      弾性リング
１６      係合溝
１７      ストッパー部
【図１】
0003119444.tif 000003
【図２】
0003119444.tif 000004
【図３】
0003119444.tif 000005
【図４】
0003119444.tif 000006
【手続補正書】
【提出日】平成17年11月25日(2005.11.25)
【手続補正１】
【補正対象書類名】実用新案登録請求の範囲
【補正対象項目名】全文
【補正方法】変更
【補正の内容】
【実用新案登録請求の範囲】
【請求項１】
パンチ嵌入孔を有するパンチホルダーの前部におけるパンチ取付部を、パンチホルダー側と一体のパンチ受部と、これとは別体のパンチ押えとに分割して、パンチ受部にパンチ押えを着脱自由に嵌合させ、中央のパンチを境に両側から締結ボルトによりパンチ押えをパンチ受部に締付け固定してなるパンチ保持装置において、締結ボルトの頭部とパンチ押えとの間に締結力により高さが変化する皿ばねを介装する一方、この皿ばねの高さを読み取るスイッチを設け、かつ、上記皿ばねが所定高さになったときスイッチから出力される検出信号により点灯して所定の締結力に達したことを表示する表示器を備えていることを特徴とするパンチ保持装置。
【請求項２】
パンチホルダーの長さ方向中間部にパンチ押えの嵌合溝を設けると共に、パンチホルダーのパンチ嵌入孔をパンチの外径より若干大きく形成し、かつ、パンチ嵌入孔の先端部に弾性リングを介してパンチを微動可能に保持する一方、パンチのパンチ押えとの対向位置に係合溝を設けると共に、パンチ押えに係合溝に嵌入するストッパー部を設けて、締結ボルトの締付けによりストッパー部を係合溝に押し付けてパンチをパンチホルダーに締結し、かつ、ストッパー部と係合溝との間にパンチの長さ方向への位置調整が可能な隙間を設けていることを特徴とする請求項１記載のパンチ保持装置。